(57)【要約】 【課題】  前側の樋耳周辺に土砂やゴミなどが溜まっても樋継手の排水溝から軒樋への排水性を損なわずに施工性がよい内側接続方式の樋継手を提供する。【解決手段】  本発明は、外面形状が樋本体部の内面形状とほぼ合致する形状に形成された溝形状の継手本体部と、該継手本体部の上端部に設けられた耳係止部とで構成され、前耳係止部の上方先端に位置する立ち上がり片に軒樋内に雨水を排水するための切り欠き溝が設けられており、また、前記継手本体部の前側壁の上部に形成されている突起が堰としての機能を備え、該堰の底部となる受け面の両端に切り欠きが設けられている。【選択図】  図１
2005146716.tif 000002
【特許請求の範囲】
【請求項１】
前耳の内面側に内方に開口した溝（１４１）が形成され、該溝（１４１）の上縁に係止部が形成されている軒樋同士の接続に用いられる樋継手において、前記樋継手は、外面形状が本体部の内面形状とほぼ合致する形状に形成された溝形状の継手本体部（２０）と、該継手本体部（２０）の上端部に設けられた耳係止部とで構成され、前耳係止部（２４）の上方先端に位置する立ち上がり片（２６）に軒樋内に雨水を排水するための切り欠き溝（２６１）が設けられている樋継手。
【請求項２】
前記継手本体部（２０）の前側壁（２２）の上部に形成されている突起（２２３）が堰としての機能を備え、該堰の底部となる受け面（２２２）の両端に切り欠き（２２４）が設けられている請求項１に記載の樋継手。
【発明の詳細な説明】
【技術分野】
【０００１】
本発明は、軒樋の接続に用いられる樋継手であって、その中でも軒樋の内側に設けられる内側接続方式の樋継手に関する。
【背景技術】
【０００２】
従来、軒樋の内側に設けられる樋継手として、たとえば実公昭５６−１２３５４号公報に記載されているものが知られている。この樋継手は、外面形状が樋本体部の内面形状とほぼ一致する形状に形成された溝形状の継手本体部と、この継手本体部の上端部に形成された耳係止部とで構成されており、前記継手本体部が半円筒状に形成され、前記耳係止部が樋耳の外側に嵌合可能な溝形状に形成されているものである。しかしながら、この従来の樋継手においては、耳係止部が樋耳の外側に現れるために美観が損なわれるという問題があった。
【０００３】
この美観上の問題を解消する樋継手として、外面形状が樋本体部の内面形状とほぼ合致する形状に形成された継手本体部と、この継手本体部の上端部に設けられた耳係止部とを備え、樋耳の内面側に内方に開口した溝が形成されている軒樋の接続に用いられる樋継手が開示されている（例えば特許文献１参照。）。
【特許文献１】特開２００３−１７２００７号公報
【発明の開示】
【発明が解決しようとする課題】
【０００４】
本発明は従来の欠点を解決し、美観よく軒樋を接続することができ、かつ、軒樋と樋継手との接続部からの雨水の漏れを防止すること。具体的には、前側の樋耳周辺に土砂やゴミなどが溜まっても、樋耳の内面側に内方に開口した溝に、軒樋の樋耳に降った雨水や屋根面を流れてきた雨水が入り込み、この雨水が溝内を伝わって軒樋の長手方向に流れないような樋継手を提供することにある。
【課題を解決するための手段】
【０００５】
即ち本発明は、前耳の内面側に内方に開口した溝が形成され、該溝の上縁に係止部が形成されている軒樋同士の接続に用いられる樋継手において、前記樋継手は、外面形状が樋本体部の内面形状とほぼ合致する形状に形成された溝形状の継手本体部と、該継手本体部の上端部に設けられた耳係止部とで構成され、前耳係止部の上方先端に位置する立ち上がり片に軒樋内に雨水を排水するための切り欠き溝が設けられている樋継手である。
【０００６】
また、他の発明は、前記継手本体部の前側壁の上部に形成されている突起が堰としての機能を備え、該堰の底部となる受け面の両端に切り欠きが設けられている樋継手である。
【発明の効果】
【０００７】
本発明の樋継手は、切り欠き溝が樋継手に設けられているので、土砂やゴミなどが溜まっても、この切り欠き溝から軒樋の前耳と立ち上がり片との間に溜まった雨水を速やかに軒樋内に排水できる。また、切り欠き溝が軒樋と樋継手との接続位置の目安となり接続作業が正しくできる。  
【０００８】
また、受け面の両端に切り欠きが設けられているので、軒樋内に流れ込む雨水の一部が樋継手の端面を伝うことがないので、軒樋と樋継手との接着面側を経て、軒樋の接続部から雨水が軒樋の外に漏れることが防止できる。
【発明を実施するための最良の形態】
【０００９】
本発明は、前記のように軒樋の接続に用いられる内側接続方式の樋継手において、軒樋の前耳と立ち上がり片との間に溜まった雨水をこの部分に土砂やゴミなどが溜まっても、立ち上がり片に切り欠き溝を配設することにより雨水を軒樋内に排水することができ、軒樋と樋継手との接続部からの雨水の漏れを防止することを見出した。
【００１０】
本発明における樋継手の材質は、プラスチック建材として従来公知の樹脂を適宜選択して採用でき、硬質塩化ビニル樹脂、アクリル樹脂、ポリカーボネート樹脂、ＡＥＳ樹脂（アクリロニトリル・エチレンープロピレンゴム・スチレン樹脂）などの熱可塑性樹脂を用いることができる。また、金属系材料としては、鉄板、鋼板、ステンレス板、あるいは表面が、塩化ビニル樹脂、アクリル樹脂などの合成樹脂にて被覆された樹脂被覆鋼板を用いることができる。また、軒樋の材質は、樋継手と同一であっても、異なるものであってもよい。樋継手の形状は適用される軒樋の形状に応じて決めればよい。
【００１１】
本発明の樋継手にて接続される軒樋について説明する。軒樋１は断面形状が角型のものであり、図２に示すように平坦な底壁部１１と、底壁部１１の両側部から立設された前壁部１２及び後壁部１３とで溝形状の樋本体部１０が構成されている。前壁部１２は底壁部１１に対してほぼ直角に形成され、上方途中部に軒樋の内側に中空室１４３が形成され、前壁部１２の上端部に前耳１４が形成されている。中空室１４３から前耳１４に至る前壁部１２は屋内側に向けて若干傾斜して形成されている。後壁部１３は底壁部１１に対してほぼ直角に形成されている。
【００１２】
前耳１４は樋内側に開口した溝１４１を有している。この開口部上縁には係止爪１４２が下向きに形成されている。後壁部１３の上端には後耳１５が形成されており、この後耳１５は内方に向けて突出された係止突起１５１を備えており、この係止突起１５１の隅部下面側には後耳溝１５２が形成されている。前耳１４の溝１４１及び後耳１５の係止突起１５１は、軒樋１を後述の樋吊具４に取り付ける時の取り付け用溝及び突起となる。
【００１３】
樋継手２は、図１に示すように、その外面形状が樋本体部１０の内面形状と形状がほぼ合致する形状に形成された溝形状の継手本体部２０と、この継手本体部２０の上端部に設けられた前耳係止部２４と後耳係止部２５とで構成される。
【００１４】
前記継手本体部２０は溝形状であり、平坦な底壁２１と、この底壁２１の両端部から立設された前側壁２２及び後側壁２３とで構成されている。前側壁２２及び後側壁２３は底壁２１に対してほぼ直角に形成されている。
【００１５】
前記前側壁２２の上部は、軒樋１の中空室１４３の下面部１４４に合致するように内側に屈曲されて受け面２２２となる。受け面２２２の上部の前側壁２２は、突起２２３として継手本体部２０の長手方向に沿って一体に設けられている。突起２２３は軒樋１の前耳１４の溝１４１内に溜まった雨水を軒樋１内に排水するための排水溝３を形成するためのものである。突起２２３の高さは２〜５ｍｍが好ましい。２ｍｍ未満では、排水溝３を形成することが困難になる。一方５ｍｍを超えると、突起２２３の成型性が困難になる。
【００１６】
前記前耳係止部２４の上端に、立ち上がり片２６が形成されている。その立ち上がり片２６の中央には切り欠き溝２６１が形成されている。この切り欠き溝２６１は軒樋１の前耳１４と立ち上がり片２６との間に溜まった雨水を軒樋１内に排水するための溝である。その切り欠き溝２６１の幅は、５〜３０ｍｍが好ましい。５ｍｍ未満では、土砂やゴミなどが溜まり排水性が困難になる。一方３０ｍｍを超えると、立ち上がり片２６が強度上弱くなる。この切り欠き溝２６１は、軒樋１の前耳１４と立ち上がり片２６との間に土砂やゴミなどが溜まった時でも雨水を軒樋１内に排水するための溝であり、前記排水溝３のバイパスとしての役割がある。
【００１７】
また切り欠き溝２６１は、高所作業を伴う雨樋施工において軒樋１と樋継手２の接続と接着作業が正しく行われないと、樋継手２からの軒樋１の外れ、水漏れなどが発生することがある。切り欠き溝２６１は、樋継手２の両端に接続される軒樋１、１に対する樋継手２の接続代が片方に偏ることを防止するために、切り欠き溝２６１の位置を目安として切り欠き溝２６１の近傍まで軒樋１を差し込むことでこの接続作業が正しくできる。
【００１８】
図１及び図５に示すように、軒樋１の前耳１４周辺に溜まった雨水の排水経路について説明する。先ず、軒樋１の前耳１４と立ち上がり片２６との間に溜まった雨水は、一部が立ち上がり片の中央の切り欠き溝２６１より軒樋内に流れ込む。他の雨水は、立ち上がり片２６から継手本体部２０の前側壁の上部の受け面２２２に集まる。継手本体部２０の前側壁の上部に形成されている突起２２３が堰としての機能を備えるので、軒樋の端部内に嵌合接着された状態では、軒樋１側の下面部１４４と樋継手２側の受け面２２２との間には排水溝３が形成される。この結果、軒樋１の前耳１４の溝１４１内に溜まる雨水は、排水溝３を通じて受け面２２２に雨水が流れ、受け面２２２の両端部の切り欠き２２４から軒樋１内に流れ込む。
【００１９】
前記受け面２２２は、両端部の切り欠き２２４に向けて下り勾配が望ましい。その下り勾配の傾斜度は、特に限定しないが、金型の抜き勾配から、０．５〜３．０°勾配が望ましい。
【００２０】
前記切り欠き２２４は、溝１４１内に溜まる雨水が排水溝３から受け面２２２の両端部の切り欠き２２４を経て軒樋１内に流れ込む際に、樋継手２の両端面を雨水が伝うことなく排水できるので、施工時の軒樋１と樋継手２との接着剤の塗布に不備があっても、軒樋１内に流れ込む雨水の一部が樋継手２の端面を伝い軒樋１と樋継手２との接着面側を経て、軒樋１の接続部６から雨水が軒樋１の外に漏れることを確実に防止できる。
【実施例１】
【００２１】
本発明に係る樋継手の実施例１について、図１、図２、図３、図４、図５及び図６を参照しつつ、詳細に説明する。
【００２２】
本実施例の軒樋１は、硬質塩化ビニル樹脂製で二軸異方向押出機を用いて押出成形により賦形した。樋継手２は、硬質塩化ビニル樹脂製で射出成型機を用いて賦形した。
【００２３】
前記切り欠き溝２６１の幅は、２０ｍｍである。また樋継手２の受け面２２２のほぼ中央に、リブ２２５を形成した。該リブ２２５の高さは、５ｍｍである。また前記受け面２２２の下り勾配の傾斜度は２°とし、受け面２２２の両端部の切り欠き２２４の幅は、１０ｍｍである。
【００２４】
本発明に係る軒樋１と樋継手２の接続する手順を説明する。軒樋１を吊設する樋吊具４は、図４に示すように、取付部４１と支持部材４２とからなり、支持部材４２の両端には前耳保持部４３及び後耳保持部４４が設けられている。
【００２５】
先ず、建物の鼻隠し板５に、複数の樋吊具４を配置し取付け間隔から取付け位置を決め、樋吊具４の取付部４１をネジなどで固着する。
【００２６】
次に、軒樋１、１の後耳１５を各樋吊具４の後耳保持部４４に嵌合して係止し、この状態で隣接する軒樋１、１同士の両端面を合わせる。次に、樋継手２の樋本体部１０の両端部外周面に接着剤を塗布し、樋継手２の後側壁２３の上端部に位置する後耳係部２５を軒樋１、１の後耳１５の下面側の後耳溝１５２内に嵌合して係止する。
【００２７】
次に、後耳１５を中心として軒樋１を時計回り方向に回転させ、軒樋１の前耳１４を樋吊具４の前耳保持部４３及び樋継手２の前耳係止部２４に嵌合して係止する。この作業の繰り返しで、樋継手２にて接続した軒樋１を建物の鼻隠し板５の前に位置する樋吊具４に設置できる。
【産業上の利用可能性】
【００２８】
本発明の活用例として、軒樋の内側に設けられる内側接続方式の樋継手において、樋継手の前側上部の雨水を確実に軒樋の内側に排水できる樋継手として産業上大いに利用できる。
【図面の簡単な説明】
【００２９】
【図１】本発明の樋継手の実施例１を示す斜視図である。
【図２】図１の樋継手にて接続される軒樋を示す正面図である。
【図３】図１の樋継手の使用状態を示す説明図である。
【図４】実施例１における軒樋の配設状態を示す説明図である。
【図５】図３の要部を示す断面図である。
【図６】図３を上から見た説明図である。
【符号の説明】
【００３０】
１       軒樋
１０       樋本体部
１１       底壁部
１２       前壁部
１３      後壁部
１４      前耳
１４１       溝
１４２       係止爪
１４３       中空室
１４４      下面部
１５       後耳
１５１       係止突起
１５２        後耳溝
２       樋継手
２０       継手本体部
２１       底壁
２２       前側壁
２２２        受け面
２２３        突起
２２４        切り欠き
２２５        リブ
２３       後側壁
２４       前耳係止部
２５       後耳係止部
２６       立ち上がり片
２６１        切り欠き溝
３       排水溝
４       樋吊具
４１       取付部
４２       支持部材
４３       前耳保持部
４４       後耳保持部
５       鼻隠し板
６       接続部  
【図１】
2005146716.tif 000003
【図２】
2005146716.tif 000004
【図３】
2005146716.tif 000005
【図４】
2005146716.tif 000006
【図５】
2005146716.tif 000007
【図６】
2005146716.tif 000008